(57)【要約】【課題】本発明は、硬貨手動補充口を介して硬貨チューブに補充された硬貨が立った姿勢のまま蓄積されることを防止し、硬貨を常に整列して蓄積することにより払出し動作の停止を防止する硬貨処理装置を提供することを目的とする。【解決手段】本発明に従った硬貨処理装置は、硬貨を整列積みにして蓄積する硬貨チューブを備えた硬貨収容部と、払出しスライド部材を硬貨チューブに垂直な方向に往復運動させることにより、硬貨収容部内で整列積みにした状態で蓄積された硬貨の最下段の硬貨を1枚ずつ移動させて払出す硬貨払出し機構とを備え、硬貨チューブに硬貨を手動にて斜め投入可能な硬貨手動補充口を備えたことを特徴とする。また、本発明の硬貨処理装置は、硬貨手動補充口が、硬貨チューブの前面側に硬貨蓄積方向に対して斜めに配設された長孔であることを特徴とする。【選択図】図４
2007109091.tif 000002
【特許請求の範囲】
【請求項１】
硬貨を整列積みにして蓄積する硬貨チューブを備えた硬貨収容部と、
払出しスライド部材を該硬貨チューブに垂直な方向に往復運動させることにより、該硬貨収容部内で整列積みにした状態で蓄積された硬貨の最下段の硬貨を1枚ずつ移動させて払出す硬貨払出し機構とを備えた硬貨処理装置において、
前記硬貨チューブに硬貨を手動にて斜め投入可能な硬貨手動補充口を備えたことを特徴とする硬貨処理装置。
【請求項２】
請求項1記載の硬貨処理装置において、
前記硬貨手動補充口は、硬貨チューブの前面側に硬貨蓄積方向に対して斜めに配設された長孔であることを特徴とする硬貨処理装置。
【発明の詳細な説明】
【技術分野】
【０００１】
本願発明は、硬貨処理装置に関する。
【背景技術】
【０００２】
自動販売機等に搭載される硬貨処理装置は、硬貨識別部において投入された硬貨について金種及び真偽の判定を行い、各金種毎に対応した硬貨チューブへと硬貨を積載し、顧客が商品を購入した後に、硬貨が金種別に蓄積されている硬貨チューブから必要枚数の硬貨をつり銭として払出す。また、そのつり銭の払出しによって硬貨チューブ内の硬貨が不足した場合に、硬貨チューブに形成された硬貨手動補充口を介して硬貨を補充する。
【０００３】
特開2002-260065号公報は、上記の硬貨の補充を可能とする硬貨処理装置を開示している。その硬貨処理装置は、第1図に示されるように複数の硬貨チューブ11からなる硬貨収容部10を備えており、硬貨収容部10は、その上端にスリット形状を有し鉛直方向に延在する長孔として形成された硬貨手動補充口12を備えている。
【０００４】
また、実開平5-71985号公報は、第2図に示されるような硬貨処理装置を開示している。この硬貨処理装置20は、硬貨を蓄積する硬貨収容部21を備え、硬貨収容部21は、鉛直方向に延在する複数の硬貨チューブ22a乃至22cと、この硬貨チューブ22a乃至22cにそれぞれ水平方向に形成された硬貨手動補充口23a乃至23cとを備えている。
【０００５】
【特許文献１】特開2002-260065号公報
【特許文献２】実開平5-71985号公報
【発明の開示】
【発明が解決しようとする課題】
【０００６】
しかしながら、特開2002-260065号公報および、実開平5-71985号公報に開示された硬貨処理装置の鉛直方向又は水平方向の長孔の硬貨手動補充口12又は23では、硬貨手動補充口12又は23から投入された硬貨が立った状態で積載されてしまう問題がある。
【０００７】
図3は、スリット形状を有する鉛直方向又は水平方向の長孔として硬貨チューブに設けられた硬貨手動補充口を形成した場合に生ずる問題を示している。ここで、図3（a）及び（b）は、硬貨チューブ11に、鉛直方向の長孔からなる硬貨手動補充口12を形成した場合を示す。また、図3（c）及び（d）は、硬貨チューブ11に、水平方向の長孔からなる硬貨手動補充口12を形成した場合を示す。また、図3（e）、3（f）、及び3（g）は、硬貨チューブ11を硬貨手動補充口12の側面方向から見た断面図である。図3（e）及び3（f）は、水平方向の長孔として硬貨手動補充口12を形成した硬貨チューブ11を示しており、図3（g）は、鉛直方向の長孔として硬貨手動補充口12を形成した硬貨チューブ11を示している。
【０００８】
図3（a）のように硬貨手動補充口を鉛直方向の長孔とした場合において、硬貨の蓄積量が少ないときは、硬貨は、整列されて蓄積される場合もあるが、図3（a）及び図3（g）に示されているように、立った姿勢のまま蓄積される場合がある。これは、例えば、500円硬貨のように厚みがあり、且つ、硬貨の縁が角ばった硬貨の場合に起こりやすくなる。この状態のまま、その上に硬貨が蓄積されていくと、その硬貨のつり銭としての払出しにより立った姿勢のまま蓄積された硬貨が硬貨チューブの最下端に来たときに問題を生ずる。硬貨の払出しは、周知の払出しスライド部材からなる硬貨払出し機構によって行われるが、立った姿勢のまま蓄積された硬貨は、硬貨払出し機構の払出しスライド部材に形成された孔に食い込み、払出しスライド部材がそれ以降往復運動をしなくなり、払出し動作を停止してしまう。図3（b）のように硬貨手動補充口12を鉛直方向の長孔とした場合において、硬貨の蓄積量が多いときは、硬貨は、そのほとんどが立ったまま蓄積されてしまうので、上記の払出し動作の停止といった危険が増大することとなる。
【０００９】
次に、図3（c）に示されているように、スリット形状を有する水平方向の長孔として硬貨手動補充口12を形成した場合において、硬貨の蓄積量が多いときは、硬貨は、ほとんど投入されたままの姿勢を維持しつつ、蓄積されている硬貨の上端に達するため、新たに補充された硬貨が立って蓄積されるといったことはほぼない。これに対して、図3（d）に示されているように、スリット形状を有する水平方向の長孔として硬貨手動補充口12を形成した場合において、硬貨の蓄積量が少ないか又は中程度のときは、新たに補充された硬貨は、図3（d）の回転軸Xを軸として回転しながら落下するため、図3（f）に示されているように立った姿勢のまま蓄積される場合がある。これも、500円硬貨のように厚みがあり、且つ、硬貨縁が角ばった硬貨の場合に起こりやすくなる。さらに、硬貨チューブ11に入ってくる硬貨のルートは、硬貨識別部及び硬貨振り分け部を通って入ってくるルートと、硬貨手動補充口12を介して入ってくるルートとがあることに注意すべきである。スリット形状を有する水平方向の長孔として硬貨手動補充口12を形成した場合には、図3（e）に示されように、硬貨識別部及び硬貨振り分け部を通って入ってくる硬貨が硬貨手動補充口12に引っかかって詰まってしまうという問題も生じる。
【００１０】
上記の問題に鑑みて、本発明は、硬貨手動補充口を介して硬貨チューブに補充された硬貨が立った姿勢のまま蓄積されることを防止し、立った姿勢のまま蓄積された硬貨が、硬貨払出し機構の払出しスライド部材に形成された孔に食い込み、払出しスライド部材がそれ以降往復運動をしなくなり、払出し動作が停止してしまう問題を防止し、払出し動作を支障なく行うことが可能である硬貨処理装置を提供することを目的とする。
【課題を解決するための手段】
【００１１】
本発明に従った硬貨処理装置は、硬貨を整列積みにして蓄積する硬貨チューブを備えた硬貨収容部と、払出しスライド部材を硬貨チューブに垂直な方向に往復運動させることにより、硬貨収容部内で整列積みにした状態で蓄積された硬貨の最下段の硬貨を1枚ずつ移動させて払出す硬貨払出し機構とを備え、硬貨チューブに硬貨を手動にて斜め投入可能な硬貨手動補充口を備えたことを特徴とする。
【００１２】
また、本発明の硬貨処理装置は、硬貨手動補充口が、硬貨チューブの前面側に硬貨蓄積方向に対して斜めに配設された長孔であることを特徴とする。
【００１３】
上記の硬貨処理装置においては、硬貨手動補充口を介して硬貨チューブに補充された硬貨が立った姿勢のまま蓄積されることを防止したから、立った姿勢のまま蓄積された硬貨が、硬貨払出し機構の払出しスライド部材に形成された孔に食い込み、払出しスライド部材がそれ以降往復運動をしなくなり、払出し動作が停止してしまうことがなく、硬貨払出し動作を支障なく行うことを可能とする。
【発明を実施するための最良の形態】
【００１４】
第4図は、硬貨処理装置100の外観を示す図である。硬貨処理装置100は、投入された硬貨の真偽を判定する硬貨識別部104と真正な硬貨であると判定した正貨を金種別に振り分ける硬貨振り分け部105とを備えた硬貨識別部101と、硬貨識別部101の下方に配置され、硬貨識別部101が金種別に振り分けた硬貨を金種毎に収容する複数の硬貨チューブ110を備えた硬貨収容部102と、複数の硬貨チューブ110のうちのつり銭の額に対応する1又は複数の硬貨チューブ110からつり銭の額に相当する硬貨を払い出す硬貨払出部103とを備えている。
【００１５】
硬貨投入口106に投入された硬貨は、硬貨通路を転動しながら移動して硬貨識別部104で硬貨の金種及び、真偽を判別し、さらに下流に設けられた硬貨振分部105へ案内され、真正硬貨は、各金種毎に、その各金種に対応する硬貨振分部105の出口毎にそれぞれ連結された複数の硬貨チューブ110へと振分けられ、偽貨は排出される。また釣銭等の払い出し時には、該硬貨チューブ110の下部に設けられた硬貨払出部103 から硬貨を排出する。
【００１６】
硬貨払出部103は、前記コインチューブとの間を摺動して前記コインチューブ内に積層収納された硬貨のうち最下層の硬貨を引き出して硬貨落下口へ案内し図示しない該硬貨落下口から放出する払い出しスライド部材と、この払い出しスライド部材に駆動力を与えるモータから構成されている。また、各硬貨チューブは、蓄積している硬貨が釣銭の払い出しによって不足した場合に、ユーザーが硬貨を硬貨チューブに手動で補充する為の硬貨手動補充口210を備えている。
【００１７】
図5（a）、5（b）、5（c）、及び5（d）は、本発明に従った硬貨収容部102を示す図である。硬貨収容部102は、透明樹脂で形成されており、硬貨を種類別に蓄積するための硬貨チューブ110を備えている。複数の硬貨チューブ110は、それぞれ鉛直方向に延在し、並列に配列され、正貨を種類別に積層して蓄積する。図5（a）において、硬貨収容部102の前面であって、複数の硬貨チューブ110の上端と硬貨振り分け部105との間には、硬貨収容部の前面に開口した孔からなる硬貨手動補充口210が配置されており、硬貨収容部102の前面の孔は、硬貨収容部の側面に向かって斜めに傾斜して配設された長孔の硬貨手動補充口210が形成され、硬貨チューブ110の内のつり銭用の硬貨が不足した場合には、硬貨手動補充口210から補給する。硬貨手動補充口210は、硬貨を通過させうるように硬貨の厚さよりもわずかに大きな幅を有し、硬貨が安定して斜めに傾斜して挿入されるように規制することができるような形状とされている。硬貨手動補充口210の幅が広すぎると、硬貨を安定して斜めに傾斜させて挿入することが不可能となる。
【００１８】
本実施例では、特に硬貨の厚みがある500円用の硬貨チューブ110に斜めの硬貨補充口210を配設している。上述の構成としたことにより、硬貨手動補充口210から投入された硬貨は、硬貨チューブ110内に積載された硬貨の上面に対して斜めの状態で硬貨チューブに投入される為、硬貨の回転が抑えられ、また、硬貨が縦になって落下することを防止している。特に、500円硬貨のように厚みがあり、且つ、硬貨縁が角ばった硬貨の場合であっても、硬貨が立った状態で落下することを防止しているから、硬貨を硬貨チューブ110内に立った状態で蓄積し、払い出せなくなる問題を解消している。尚かつ、硬貨手動補充口210が斜めであるから、従来技術である水平方向の長孔からなる硬貨手動補充口のように、硬貨識別部104及び硬貨振分部105を通って入ってくる硬貨が硬貨手動補充口210に引っかかって詰まることもない。
【００１９】
また、図5（b）に開示した第2の実施例では、硬貨チューブ前面に斜め十字形状（X字形状）の硬貨手動補充口211を配置している。図5（b）のような硬貨手動補充口211とすると、ユーザーの利き手が右であっても左であっても、硬貨が投入し易い。図５（c）は、図５（a）、図５（b）に示す硬貨チューブ110を正面から見た概略図であり、図５（ｄ）は、図5（c）の断面図である。
【００２０】
図6は、硬貨払い出し機構の詳細を説明する図である。硬貨払い出し部103 は、硬貨払出し動作をする硬貨払出し機構300から構成されている。図6（a）乃至図6（c）は、この硬貨チューブ110の下に配設される硬貨払出し機構300の構造及び動作を説明する図である。この硬貨払出し機構300は、図示しない駆動モータと駆動モータの駆動力を伝達する図示しない歯車伝動手段等からなる払出しカム駆動手段と、払出しカム駆動手段が駆動力を与えることにより、所定の方向（時計回りの方向又は反時計回りの方向）に一払出し動作ごとに一回転する一対の払出しカム301及び302とを含む。一対の払出しカム301及び302のそれぞれの底面からは、払出しカム301及び302のそれぞれの回転軸から所定の距離だけずれた位置にありそれぞれの底面に垂直に突出する突起部分301a及び302aが配設されている。払出しリンク303は、払出しカム301及び302のそれぞれの底面から突出する突起部分301a及び302aと係合するスリット303a及び303bを有し、払出しカム301及び302が所定の方向に一回転すると、図6（a）に示されている初期位置から矢印Aの方向に上記の所定の距離の2倍の距離を往復移動する。払出しスライド部材304には、硬貨収容部102を構成する硬貨チューブ110の各最下端に収容された硬貨を一枚だけ収容する複数の孔304a乃至304dが形成されている。払出しスライド部材304は、払出しリンク303に着脱自在に係合し、払出しリンク303の往復運動に伴って矢印A方向へ往復運動することにより、払出し動作の際に硬貨チューブ110の最下端にある硬貨を1枚ずつ硬貨チューブ110の底部からスライドさせ、硬貨落下口に最下端の硬貨を案内し、図示しない該硬貨落下口から硬貨を放出する。
【００２１】
本願発明に従った硬貨処理装置においては、硬貨手動補充口210を介して硬貨チューブ110に補充された硬貨が立った姿勢のまま蓄積されることを防止し、硬貨が常に整列されて蓄積されることを確保することが可能としたから、硬貨チューブ110に硬貨を立った状態で蓄積し、払出し動作が停止するという問題を解消している。
【００２２】
以上説明したとおり、本発明の硬貨手動補充口210及び211は、硬貨を斜めに挿入可能としたから、硬貨手動補充口210又は211を介して硬貨チューブ110に補充された硬貨が立った姿勢のまま蓄積されることを防止し、立った姿勢のまま蓄積された硬貨が、硬貨払出し機構の払出しスライド部材に形成された孔に食い込み、払出しスライド部材がそれ以降往復運動をしなくなり、払出し動作が停止してしまうとことが無く、硬貨払い出し動作を支障なく行うことができる。
【図面の簡単な説明】
【００２３】
【図１】従来技術の硬貨収容部10を示す図である。
【図２】従来技術の硬貨処理装置20の外観を示す図である。
【図３（ａ）】鉛直方向又は水平方向の長孔として硬貨手動補充口を形成した場合に生ずる問題を示す図である。
【図３（ｂ）】鉛直方向又は水平方向の長孔として硬貨手動補充口を形成した場合に生ずる問題を示す図である。
【図３（ｃ）】鉛直方向又は水平方向の長孔として硬貨手動補充口を形成した場合に生ずる問題を示す図である。
【図３（ｄ）】鉛直方向又は水平方向の長孔として硬貨手動補充口を形成した場合に生ずる問題を示す図である。
【図３（ｅ）】鉛直方向又は水平方向の長孔として硬貨手動補充口を形成した場合に生ずる問題を示す図である。
【図３（ｆ）】鉛直方向又は水平方向の長孔として硬貨手動補充口を形成した場合に生ずる問題を示す図である。
【図３（ｇ）】鉛直方向又は水平方向の長孔として硬貨手動補充口を形成した場合に生ずる問題を示す図である。
【図４】本発明に従った硬貨処理装置100の外観を示す図である。
【図５（ａ）】本発明に従った硬貨収容部102を示す図である。
【図５（ｂ）】本発明に従った硬貨収容部102の第2の実施態様を示す図である。
【図５（ｃ）】本発明に従った硬貨収容部102の硬貨チューブ110の正面図である。
【図５（ｄ）】本発明に従った硬貨収容部102の硬貨チューブ110の断面図である。
【図６（ａ）】硬貨チューブの下に配設される硬貨払出し機構の構造及び動作を説明する図である。
【図６（ｂ）】硬貨チューブの下に配設される硬貨払出し機構の構造及び動作を説明する図である。
【図６（ｃ）】硬貨チューブの下に配設される硬貨払出し機構の構造及び動作を説明する図である。
【図１】
2007109091.tif 000003
【図２】
2007109091.tif 000004
【図３（ａ）】
2007109091.tif 000005
【図３（ｂ）】
2007109091.tif 000006
【図３（ｃ）】
2007109091.tif 000007
【図３（ｄ）】
2007109091.tif 000008
【図３（ｅ）】
2007109091.tif 000009
【図３（ｆ）】
2007109091.tif 000010
【図３（ｇ）】
2007109091.tif 000011
【図４】
2007109091.tif 000012
【図５（ａ）】
2007109091.tif 000013
【図５（ｂ）】
2007109091.tif 000014
【図５（ｃ）】
2007109091.tif 000015
【図５（ｄ）】
2007109091.tif 000016
【図６（ａ）】
2007109091.tif 000017
【図６（ｂ）】
2007109091.tif 000018
【図６（ｃ）】
2007109091.tif 000019